(57)【要約】本発明は、テスト信号を伝送ボディ１４に印加することで、入力信号の振幅（AM-AM及び／又はAM-PM曲線）に依存して伝送ボディのための出力信号の振幅及び／又は位相を決定し、振幅及び位相変調によりテスト信号ｓ（ｔ）から伝送ボディで発生された応答信号を測定し、応答信号ｅ（ｔ）の振幅曲線｜ｅ（ｔ）｜、及び／又は、テスト信号ｓ（ｔ）の振幅曲線｜ｓ（ｔ）｜の関数としてテスト信号ｓ（ｔ）及び応答信号ｅ（ｔ）の位相曲線ΦS（ｔ）及びΦE（ｔ）を決定する方法及びシステムに関する。テスト信号ｓ（ｔ）の振幅曲線｜ｓ（ｔ）｜は、前記第一及び第二の曲線のセクションの期間ΔＴの間の一定の振幅値をもつ幾つかの第一及び第二の曲線のセクションからなる。
2008541634.tif 000002
【特許請求の範囲】
【請求項１】
入力信号の振幅に依存して伝送リンクの出力信号の振幅及び／又は位相を決定する方法であって、
伝送リンクにおける振幅歪み及び／又は位相の歪みによりテスト信号から生じる応答信号は、前記テスト信号の振幅に依存して、前記応答信号の振幅応答と、前記テスト信号と前記応答信号の位相応答とに関して決定され、
前記テスト信号の前記振幅応答は、それぞれ第一又は第二の応答セグメントの期間にわたり一定の振幅値をもつ第一及び第二の応答セグメントからなる、
ことを特徴とする方法。
【請求項２】
前記テスト信号の前記振幅応答は、交互する方式で、互いに関して変化する振幅値をもつ第一の応答セグメントと、互いに関して変化しない振幅値をもつ第二の応答セグメントとを与える、
ことを特徴とする請求項１記載の方法。
【請求項３】
前記テスト信号の連続する第一の応答セグメントの前記振幅値は減少する、
ことを特徴とする請求項２記載の方法。
【請求項４】
前記テスト信号の第二の応答セグメントの前記振幅値は、前記テスト信号の第一の応答セグメントのうちの最大の振幅値に対応する、
ことを特徴とする請求項３記載の方法。
【請求項５】
前記伝送リンクのAM-AM特性は、前記第一の応答セグメントにおけるテスト信号と関連する応答信号の振幅値から決定される、
ことを特徴とする請求項２乃至４の何れか記載の方法。
【請求項６】
前記テスト信号の位相応答は、全ての第一及び第二の応答セグメントで一定かつ同一の位相値を与える、
ことを特徴とする請求項２乃至５の何れか記載の方法。
【請求項７】
前記テスト信号の位相応答の位相値は、全ての第一及び第二の応答セグメントでゼロの値を与える、
ことを特徴とする請求項６記載の方法。
【請求項８】
前記第一及び第二の応答セグメントの所定の期間を通して一定の位相値による、周波数オフセットが補償された位相応答における平均として生じる周波数オフセットの補償により、前記応答信号の周波数オフセットが補償されていない信号は、前記第一及び第二の応答セグメントの所定の期間にわたり一定の位相値で転送される、
ことを特徴とする請求項２乃至７の何れか記載の方法。
【請求項９】
前記伝送リンクのAM-PM特性は、前記応答信号の前記周波数オフセットが補償された位相応答の連続する第一及び第二の応答セグメントの位相値の差と、前記第一の応答セグメントにおけるテスト信号の振幅値に依存する前記テスト信号の位相応答の第一又は第二の位相セグメントにおける位相値との差から決定される、
ことを特徴とする請求項８記載の方法。
【請求項１０】
前記テスト信号と関連する応答信号の前記第一及び第二の応答セグメントにおける振幅値及び位相値は、前記第一及び第二の応答セグメントの時間インターバル内でそれぞれ決定され、それぞれ第一及び第二の応答セグメントの開始及び終了のそれぞれで１つの不確定のインターバルだけ、前記第一及び第二の応答セグメントの所定の期間との比較により低減される、
ことを特徴とする請求項８記載の方法。
【請求項１１】
平均として生じる周波数オフセットは、前記第一及び第二の応答セグメントでそれぞれ決定され、前記第一及び第二の応答セグメントにおけるテスト信号の振幅値で重み付けされる周波数オフセットからの平均値を形成することで計算される、
ことを特徴とする請求項８記載の方法。
【請求項１２】
伝送ユニット、該伝送ユニットにより発生されるテスト信号が供給される伝送リンク及び測定装置が直列回路に設けられ、入力信号の振幅に依存して伝送リンクの出力信号の振幅及び／又は位相を決定するシステムであって、
前記測定装置は、前記伝送リンクにおける振幅及び／位相歪みにより前記テスト信号から生じる応答信号を排他的に測定する、
ことを特徴とするシステム。
【請求項１３】
当該システムは、前記伝送ユニット及び前記測定装置に接続される手順制御のユニットを含み、前記テスト信号及び前記応答信号の位相及び／又は振幅応答から前記伝送リンクのAM-AM及び／又はAM-PM特性を決定する、
ことを特徴とする請求項１２記載のシステム。
【請求項１４】
前記伝送リンクは、極変調器内に統合される電力増幅器である、
ことを特徴とする請求項１２又は１３記載のシステム。
【発明の詳細な説明】
【技術分野】
【０００１】
本発明は、入力信号（AM-AM及びAM-PM特性）の振幅に依存して伝送リンクの出力信号の振幅及び／又は位相を決定する方法及びシステムに関する。
【背景技術】
【０００２】
たとえば移動電話の受信機又は送信機における増幅器といった、通信伝送リンク（Communication  Transmission  Link）は、非線形の伝送の挙動を与える。この非線形の伝送の挙動は、往復されるべき信号の望まれない振幅及び位相の歪みをもたらす。これら望まれない歪みの影響を補償するため、その特性が伝送リンクの非線形の伝送特性の逆となるように理想的に設計されるイコライジングネットワークを、非線形の伝送リンクに直列に接続することが既に知られている。
【０００３】
入力信号（AM-AM及びAM-PM特性）の位相に依存して伝送リンクの出力信号の振幅及び位相は、イコライジングネットワークの特性を設計するために必要とされる。伝送リンクの振幅特性の決定は、伝送リンクの入力での信号の定義された振幅又はそれぞれのパワーレンジ内で、伝送リンクの入力での対応する信号の振幅又はそれぞれのパワーに依存して、伝送リンクの出力での信号の振幅又はそれぞれのパワーのファンクショナルコンテクスト（functional  context）から得られる。伝送リンクの位相応答は、伝送リンクの入力での信号の定義された振幅又はそれぞれのパワーレンジ内で、伝送リンクの入力での信号の振幅又はそれぞれのパワーに依存した、伝送リンクの出力と入力との間の信号の位相変化のファンクショナルコンテクストを表す。
【０００４】
WO99/05784号は、高周波電力増幅器の振幅及び位相歪みを測定する方法及び装置を記載している。このコンテクストでは、高周波電力増幅器のそれぞれの入力及び出力での信号は、同期復調器を介して測定される。出力振幅又はそれぞれのパワーに対する入力の比は、振幅特性を表すために決定され、入力での信号のそれぞれの振幅又はそれぞれのパワーに関連する位相値は、出力信号の同位相成分及び直交位相成分を含む位相特性を与えるために決定される。振幅及び位相応答からなる全体の特性は、信号発生器により高周波電力増幅器の入力での所与の信号応答を規定することで決定される。高周波電力増幅器の入力での信号と出力での信号との間の同期は、個々の同期復調器の間の基準の搬送波信号を介して実現される。
【０００５】
移動電話の受信機及び／又は送信機におけるキャリブレーションパワーアンプでは、パワーアンプの入力と出力での２つの信号を測定するWO99/05784A1に記載される手順、及び２つの信号の更に必要とされる同期は、時間と機能の観点で過度に費用がかかる。
【発明の開示】
【発明が解決しようとする課題】
【０００６】
したがって、本発明は、最小の処理時間と最大の処理のセキュリティに関して最適化される、入力信号の振幅に依存して伝送リンクの出力信号の振幅及び／位相を決定する方法及びシステムを提供する目的に基づいている。
【課題を解決するための手段】
【０００７】
本発明の目的は、請求項１記載の特徴をもつ、入力信号の振幅に依存して伝送リンクの出力信号の振幅及び／又は位相を決定する方法により達成され、請求項１２記載の特徴をもつ、入力信号の振幅に依存して伝送リンクの出力信号の振幅及び／又は位相を決定するシステムにより達成される。本発明の有利な更なる発展は、従属の請求項で規定される。
【０００８】
入力信号の振幅に依存して伝送リンクの出力信号の振幅及び／又は位相を決定するための、本発明に係る方法及び本発明に係るシステムによれば、伝送リンクの出力での信号のみが本発明に従って測定される。伝送リンクの入力で印加され、もはや測定されない信号は、したがって既知であり、伝送リンクの振幅及び位相特性を正しく決定するため、時間、周波数及び位相を参照して、伝送リンクの入力での信号に同期される必要があり、したがって時間、周波数及び／又は位相のオフセットを与えない。
【０００９】
システムにとって既知の信号は、伝送リンクの入力での信号を発生するために伝送ユニットへの上位語の手順制御（superordinate  procedural  control）のユニットを介して、ユーザが既知のテスト信号を指定する点で、伝送リンクの入力で達成される。
【００１０】
伝送リンクにおける振幅と位相の歪みを通してテスト信号から生じる、伝送リンクの入力での信号と伝送リンクの出力での応答信号との間の時間オフセットは、それぞれの応答セグメントが連続する時間特性の代わりに、互いに異なる振幅値をもつ一定の振幅応答を与える幾つかの応答セグメントをもつ時間特性を与える、テスト信号を使用することで回避される。テスト信号の信号発生器によるそれぞれの振幅値の調整後にテスト信号のこれら応答セグメントのそれぞれにおいて、所与の不確定なインターバルが待たれる場合、応答信号の振幅値は、時間同期の実現なしに測定することができ、正しいAM-AM特性を達成するためにテスト信号の調節された振幅値と比較することができる。これは、固定した状態が伝送リンクの入力及び出力で支配的であり続けるためである。AM-PM特性を決定する応答信号の位相値は、時間同期の実現なしに測定することができる。これは、応答信号の位相は、１つの応答セグメントの間に良好な近似において一定であると考えることができ、これに応じて、このケースにおいても伝送リンクの入力及び出力で静止状態が支配的となるためである。
【００１１】
しかし、テスト信号の幾つかの応答セグメントを通してテスト信号の一定の振幅応答のために位相歪みが存在しない場合を考え、応答信号の位相は、位相のドリフトの結果として変化する。この位相ドリフトは、伝送リンクの入力でのテスト信号のそれぞれの振幅値について伝送リンクの出力で測定される応答信号の位相は、本発明に従って規準の位相と比較される点で、AM-PM特性を決定することにおいて補償される。この目的のため、テスト信号が発生され、このテスト信号は、互いに関して変化しない振幅値をもつ第二の応答セグメントと交互する、互いに関して変化する振幅値をもつ第一の応答セグメントからなる。本発明によれば、第一の応答セグメントで測定された応答信号の位相値と、その後の第二の応答セグメントでおいて測定された応答信号の位相値との間のそれぞれの差が形成された場合、第一の応答セグメントとその後の第二の応答セグメントの間で位相ドリフトが近似的に変化しない条件で、干渉する位相ドリフトは、このようにして得られた位相差から除かれる。全ての第二の応答セグメントを通してテスト信号の変化しない振幅の結果として、応答信号の振幅に依存する位相の歪は、全ての第二の応答セグメントで一定であり、振幅に依存する位相歪みから減結合される（de-coupled）、位相のリファレンス（phase  referencing）を可能にする。
【００１２】
応答信号の位相応答が、応答信号における周波数オフセットのためにテスト信号の個々の応答セグメント内で一定となることができない点は問題であるが、代わりに、線形の上昇する特性（ascending  characteristic）を与える。応答信号における周波数オフセットにより引き起こされる応答信号のこの位相エラーを補償するため、それぞれの生じている周波数オフセットは、テスト信号のそれぞれ個々の応答セグメントにおいて、従来技術の公知の方法に従って予測することができる。テスト信号のそれぞれの応答セグメントについて予測された周波数オフセットから、テスト信号の関連する振幅値で個々の周波数オフセットを更に重み付けすることで、応答信号の全体の位相応答の平均の形成を介して、平均の周波数オフセットが計算される。テスト信号の関連する振幅値で個々の周波数オフセットを重み付けすることは、そこで支配している改善された信号−雑音のインターバルのため、テスト信号の高い振幅値をもつ応答セグメントにおける周波数オフセットの更に正確な予測を考慮する。
【００１３】
伝送リンクの振幅及び位相応答を測定する本発明に係る方法、及び、伝送リンクの振幅及び位相応答を測定する本発明に係るシステムの例示的な実施の形態は、添付図面を参照して、以下に更に詳細に説明される。
【発明を実施するための最良の形態】
【００１４】
図２及び図４を参照して一般的な伝送リンクの振幅及び位相応答を決定するための本発明に従うシステム及び本発明に従う方法を説明する前に、移動電話の極変調器の構造及びそれぞれの機能が図１を参照して与えられ、そのうち較正（キャリブレーション）は、伝送リンクの振幅及び位相特性を測定するための本発明に従う方法及び本発明に従うシステムの好適な応用として考えることができる。
【００１５】
極（polar）変調器１は、図１には示されていない信号源から、送信されるべきシンボル系列ｓ（ｎ）が供給される。搬送波信号により、ＩＱ変調器２は、信号系列ｓ（ν）から、移動電話により送信されるべき直交信号の同位相成分Ｉ及び直交位相成分Ｑを発生する。直交信号の同位相成分Ｉ及び直交位相成分Ｑは、ＣＯＲＤＩＣコンバータ３を介して、送信されるべき信号の対応する振幅成分ｒ及び位相成分φ（極座標）に変換する。
【００１６】
振幅成分ｒ及び位相成分φの個別の歪み補償は、その後の歪み補償ユニット４で行われる。歪み補償の結果として、その後の電力増幅器５で引き起こされる、送信されるべき信号の振幅及び位相歪みが補償され、これに応じて、理想的に振幅歪み及び位相歪みを与えない極変調器１で、送信されるべき信号が発生される。
【００１７】
振幅変調器６では、歪み補償された振幅成分ｒ’は、複式乗算アナログデジタルコンバータを介して、後続するパワードライバ７を制御するために必要とされるレベルレンジに変換される。パワードライバ７は、電圧源ＶSから供給されるパワートランジスタ８を制御し、電力増幅器５の外部電力の出力ステージとしての役割を果たす。
【００１８】
振幅変調パスと並列に、歪み補償された位相成分φ’は、位相変調パスで位相変調器９に供給される。位相変調器９は、位相成分φ’から、時間回転する（time-rotating）位相成分φ’の周波数に対応する信号であって、その後の電圧制御周波数発振器（ＶＣＯ）１０のためのセットの周波数の値としての役割を果たす信号を発生する。電圧制御周波数発信機１０により発生された周波数信号は、電力増幅器５に供給され、その振幅に関して、パワーエンドステージとしての役割を果たすパワートランジスタ８で増幅され、電力増幅器５の出力で移動電話のアンテナに転送される。
【００１９】
送信されるべき信号の振幅成分ｒと位相成分φの歪補償ユニット４における歪み補償について、振幅の歪み補償特性（AM-AM歪み補償特性）及び位相歪み補償特性（AM-PM歪み補償特性）が決定される必要がある。理想的な歪み補償では、これは、電力増幅器５のそれぞれの振幅歪み特性（AM-AM歪み特性）及び位相歪み特性とは逆の特性である。これに応じて、移動電話の極変調器１の歪みのない動作について、電力増幅器５の振幅及び位相応答の決定は、移動電話の較正手順のフレームワーク内で調べられる。
【００２０】
以下の説明は、図１に示されるような移動電話について極変調器１の電力増幅器５から始めて、図２に示されるような一般的な伝送リンクの振幅及び位相応答を決定する本発明に係るシステムを与える。
【００２１】
本発明に係るシステムは、較正されるべきテスト中のデバイス（DUT:  Device  Under  Test）１１からなり、図１における移動電話の極変調器１、測定装置１２、たとえばパーソナルコンピュータにより実現される重ね合わせの手順の制御のためのユニットに対応する。さらに、較正されるべきテスト中のデバイス（ＤＵＴ）は、伝送リンク１４から較正され、これは、図１に例示される極変調器１の電力増幅器５に対応し、一般に非線形の振幅及び位相特性をもつ。
【００２２】
伝送リンク１４は、全体として、単方向コネクションライン１６を介して、図１に示される極変調器１の機能ユニット２，３，４，６，７，８，９及び１０に対応する伝送ユニット１５から、振幅成分｜ｓ（ｔ）｜及び位相成分φS（ｔ）からなるテスト信号ｓ（ｔ）が供給され、振幅成分｜ｅ（ｔ）｜及び位相成分φE（ｔ）からなる、その振幅及び位相応答に対応して歪まされた応答信号ｅ（ｔ）を、単方向コネクションライン１７を介してテスト中のデバイス１２に送出する。重ね合わせ手順の制御１３のためのユニットは、伝送ユニット１５と双方向コネクションライン１８を介して通信し、双方向コネクションライン１９を介して測定装置１２と通信する。
【００２３】
図３は、エラーモデル２０を与えており、このエラーモデルは、AM-AM歪み及びAM-PM歪みを除いて、一般的な伝送リンク１４の振幅及び位相特性を決定するための本発明に係るシステムの較正する伝送リンク１４に直列に接続される、伝送リンク１４の較正のために考慮されるべき全てのエラーを含む。
【００２４】
乗算要素２１を介して、較正における周波数の同期が存在しないことに基づいて周波数オフセットΔωをモデル化する項ｅ−ｊΔωｔは、エラーモデル２０における応答信号ｅ（ｔ）にわたり重ね合わせられる。エラーモデル２０のその後の乗算要素２２において、較正における位相の同期が存在しないことに基づいて開始位相φ0及び位相ドリフトφをモデル化する項ｅ−ｊ（φ0＋φ(t)）は、応答信号ｅ（ｔ）にわたり重ね合わせられる。エラーモデル２０のその後の加算ユニット２３は、応答信号ｅ（ｔ）を通して雑音信号ｎ（ｔ）を重ね合わせる。最後に、エラーモデル２０の時間遅延要素２４において、送信信号ｓ（ｔ）と応答信号ｅ（ｔ）の間の時間遅延は、キャリブレーションにおける時間同期が存在しないことに基づいてモデル化される。
【００２５】
以下の説明では、伝送リンク１４のAM-AM特性とAM-PM特性を測定するための本発明に係る方法は、図４を参照して記載される。このコンテクストでは、伝送リンクのAM-AM特性とAM-PM特性の正しい測定のために必要とされる時間、周波数及び位相の同期に対して特定の参照が行われる。
【００２６】
伝送リンク１４のAM-AM特性及びAM-PM特性を測定するための本発明に係る方法の手順のステージＳ１０では、送信信号ｓ（ｔ）は伝送ユニット１５により発生される。上段のタイミングチャートで図５に示されるように、この送信信号ｓ（ｔ）は、図５に示されるように「降下する階段関数」のような固有の一定の応答セグメントにより特徴づけされる振幅応答｜ｓ（ｔ）｜を与える。図５の下段のタイミングチャートは、本発明に従い、例示的な値ゼロで図５における連続するラインとして示される、送信信号ｓ（ｔ）の全ての応答セグメントにわたり一定かつ同一の値を与える、送信信号ｓ（ｔ）の位相応答φS（ｔ）を示す。
【００２７】
本発明によれば、図６Ａに係る送信信号ｓ（ｔ）の振幅応答｜ｓ（ｔ）｜は、互いに関して変化される振幅値｜ｓ1i｜をもつ長さΔＴの第一の応答セグメント１ｉを与える。伝送リンク１４のAM-AM特性は、送信信号ｓ（ｔ）で決定され、この送信信号は、互いに関して変化される振幅値｜ｓ1i｜のために、図６Ａに示されるように振幅応答｜ｓ（ｔ）｜を与える。図６Ｂに従い送信信号ｓ（ｔ）の振幅応答｜ｓ（ｔ）｜は、本発明に従って伝送リンク１４のAM-PM特性を決定するために使用される。これは、固有の一定の応答セグメントΔＴからなるが、図６Ｂにおける連続するラインとして示される、互いに関して変化する振幅値｜ｓ1i｜をもつ第一の応答セグメントと、図６Ｂにおける破線で示される、互いに関して変化しない振幅値｜ｓ2i｜をもつ第二の応答セグメント２ｉとを交互して含む。それぞれ一定の振幅値｜ｓ1i｜及び｜ｓ2i｜をもつ第一及び第二の応答セグメントがAM-AM及びAM-PM特性の正しい測定を可能にするのを保証するため、伝送ユニット１５の遷移の初期の応答の後で、後続するインターバルΔＴ’における伝送リンク１４の入力で静止状態が支配的であるまで、それぞれ第一及び第二の応答セグメント１ｉ又は２ｉのそれぞれの開始で、所与の不確定のインターバルΔｔ’が待たれる。
【００２８】
後続の手順のステージＳ２０において、送信信号ｓ（ｔ）の第一及び第二の応答セグメントｌｉ及び２ｉのインターバルΔＴ’の間、応答信号ｅ（ｔ）のそれぞれの振幅値｜ｅli｜及び｜ｅ2i|、並びに位相値φE1i及びφE2iが測定される。図５に示さされるように、図５の上段のタイミングチャートにおける破線として示される、送信信号ｓ（ｔ）の第一及び第二の応答セグメント１ｉ及び２ｉにおける応答信号ｅ（ｔ）の振幅値｜ｅ（ｔ）|は、少なくともインターバルΔＴ’のレンジ内で関連する振幅値｜ｅli｜及び｜ｅ2i|を一定の応答セグメントに与える。
【００２９】
送信信号ｓ（ｔ）の第一及び第二の応答セグメント１ｉ及び２ｉにおける重ね合わせされた周波数オフセットΔωのケースでは、図５の下段のタイミングチャートにおける応答信号ｅ（ｔ）の位相応答φE（ｔ）は、それぞれのケースで、図５の下段のタイミングチャートにおける破線により、線形の上昇する位相応答を与え、重ね合わせされた周波数オフセットΔωの補償により、送信信号ｓ（ｔ）の第一及び第二の応答セグメント１ｉ及び２ｉにおける応答信号ｅ（ｔ）の位相応答φE（ｔ）は、それぞれのケースで、図５の下段のタイミングチャートにおける破線により、一定の位相応答を与える。送信信号ｓ（ｔ）の第一及び第二の応答セグメントｌｉ及び２ｉの間の遷移での応答信号ｅ（ｔ）の位相応答φE（ｔ）における不安定さは、遷移での送信信号の振幅値の変化、及び、伝送リンク１４のAM-PM特性に対応する送信信号ｓ（ｔ）の振幅｜ｓ（ｔ）｜への応答信号ｅ（ｔ）の位相φE（ｔ）の依存から生じる。
【００３０】
手順のステージＳ３０は、従来技術の方法に従い、応答信号ｅ（ｔ）の個々の第一及び第二の応答セグメント１ｉ及び２ｉにおける周波数オフセットΔωiの予測を含み、これに対して、ここでの説明において更なる参照は必要とされない。個々の周波数オフセットΔω1i及びΔω2iのそれぞれの予測は統計的な予測誤差でそれぞれ提供されるので、平均の周波数オフセットΔωavgは、以下の記載における応答信号ｅ（ｔ）の第一及び第二の応答セグメント１ｉ及び２ｉの全てについて使用され、全ての予測される周波数オフセットΔω1i及びΔω2iのそれぞれの位相応答φE（ｔ）における周波数オフセットΔωを補償するために計算される。このため、それぞれ予測された周波数オフセットΔω1i及びΔω2iは、応答信号ｅ（ｔ）の関連する振幅値｜ｅli｜又は｜ｅ2i|をもつ応答信号ｅ（ｔ）の第一及び第二の応答セグメント１ｉ及び２ｉのうちの一方において、式（１）に従って重み付けされる。
【００３１】
【数１】
2008541634.tif 000003
次の手順のステージＳ４０では、伝送リンク１４のAM-AM特性は、送信信号ｓ（ｔ）の振幅値｜ｓ1i｜及び｜ｓ2i｜のそれぞれの応答信号ｅ（ｔ）の振幅値｜ｅli｜又は｜ｅ2i|のそれぞれに対する比から、送信信号ｓ（ｔ）の第一及び第二の応答セグメント１ｉ及び２ｉのそれぞれについて決定される。
【００３２】
手順のステージＳ５０では、応答信号ｅ（ｔ）の測定された位相応答φE（ｔ）のそれぞれ個々の第一及び第二の応答セグメント１ｉ及び２ｉ周波数オフセットΔω1i又はΔω2iの補償は、手順のステージＳ４０で決定された平均の周波数オフセットΔωavgで応答信号ｅ（ｔ）の全体の位相応答φE（ｔ）を補償することで実現される（図５における破線から点線への移行）。第一及び第二の応答セグメント１ｉ及び２ｉで決定され、これに応じて更に周波数オフセットが補償された応答信号ｅ（ｔ）の位相値φEli’及びφE2i’は、手順のステージＳ５０において任意に生じる位相ドリフトφiに関して調節される。このため、送信信号ｓ（ｔ）の第一の応答セグメント１ｉにおける応答信号ｅ（ｔ）の周波数オフセットが補償された位相値φEli’と送信信号ｓ（ｔ）のその後の第二の応答セグメント２ｉにおける応答信号ｅ（ｔ）の周波数オフセットが補償された位相値φE2i’の間の位相差φEi’’を形成することによる位相のリファレンスは、式（２）に従って計算される。
【００３３】
応答信号ｅ（ｔ）の位相応答φE（ｔ）で生じる位相ドリフトφ（ｔ）は送信信号ｓ（ｔ）の２つの隣接する第一及び第二の応答セグメント１ｉ及び２ｉのそれぞれの間で近似敵に変化しないので、位相ドリフトφiは、２つの隣接する第一及び第二の応答セグメント１ｉ及び２ｉの間でそれぞれ計算される位相差φEi’’から除かれる。
【００３４】
【数２】
2008541634.tif 000004
図７Ａは、AM-PM特性及び位相ドリフトφiによる位相歪みから生じる、図７Ａにおける連続する線である、応答信号ｅ（ｔ）の測定された周波数オフセットが補償された位相値φEli’及びφE2i’の応答、及び、図７Ａにおける破線である、個々の位相ドリフトφiの応答を示す。位相ドリフトφiが式（２）に従って応答信号ｅ（ｔ）の測定された周波数オフセットが補償された位相値φEli’及びφE2i’から除かれる場合、伝送リンク１４のAM-PM特性の位相歪みから排他的に生じる、周波数オフセット及び位相ドリフトが補償された位相値φEi’’の応答は、図７Ｂで与えられるように得られる。
【００３５】
最後の手順のステージＳ６０では、伝送リンク１４のAM-PM特性は、周波数オフセットが補償され、位相ドリフトが補償された位相値φEi’’、送信信号ｓ（ｔ）の第一又は第二の応答セグメント１ｉ又は２ｉにおける位相値φs1i又はφs2i、及び、第一の応答セグメントｌｉにおけるテスト信号ｓ（ｔ）のそれぞれの振幅値｜ｓli｜によるその後の除算の間の差を形成することで決定される。
【００３６】
図４で与えられる方法は、極座標（絶対値及び位相）におけるプレゼンテーション及び計算に基づいている。代替的に、方法、特に、図４における手順のステージＳ２０である応答信号ｅ（ｔ）の測定、及び、図４における手順のステージＳ５０である周波数オフセットΔωの補償は、直角座標（同相成分及び直交成分）で実現することもでき、ＩＱ座標の極座標への変換は、AM-AM及びAM-PM特性の決定に従って必要とされる。このようにして、図４における個々の手順のステージのシーケンスが変更され、座標変換の更なる手順のステージが実現される。
【００３７】
本発明は、与えられた実施の形態に限定されるものではない。特に、本発明により、たとえばフィルタ、ミキサ等の他の通信の伝送リンクの測定、異なる変調方法及び規格に従う他の伝送信号の測定がカバーされる。
【図面の簡単な説明】
【００３８】
【図１】移動電話のために較正される極変調器のブロック図である。
【図２】伝送リンクのAM-AM特性及びAM-PM特性を測定する、本発明に係るシステムのブロック図である。
【図３】移動電話について極変調器の較正における同期エラーについてエラーモデルを示す図である。
【図４】伝送リンクのAM-AM特性及びAM-PM特性を測定する本発明に係る方法のためのフローチャートである。
【図５】テスト信号及び応答信号の振幅及び位相応答のタイミングチャートである。
【図６】図６Ａ及び図６Ｂは、伝送リンクのAM-AM特性及びAM-PM特性を決定するためのテスト信号の振幅値のタイミングチャートである。
【図７】図７Ａ及び図７Ｂは、AM-PM歪み及び位相ドリフトの重ね合わせに基づいた位相誤差、AM-PM歪みから生じる位相誤差、及びAM-PM歪みから生じる位相誤差をもつ応答信号の位相値のタイミングチャートである。
【図１】
2008541634.tif 000005
【図２】
2008541634.tif 000006
【図３】
2008541634.tif 000007
【図４】
2008541634.tif 000008
【図５】
2008541634.tif 000009
【図６】
2008541634.tif 000010
【図７】
2008541634.tif 000011
【国際調査報告】
2008541634.tif 000012
2008541634.tif 000013
2008541634.tif 000014
2008541634.tif 000015
2008541634.tif 000016
2008541634.tif 000017
2008541634.tif 000018
2008541634.tif 000019
2008541634.tif 000020
2008541634.tif 000021